(57)【要約】【課題】デジタル画像を手軽に管理することができ、銀鉛カメラのネガ管理と同等の感覚でデジタル画像を扱うことのできる画像管理システムを提供する。【解決手段】ＩＣメモリ搭載のインデックスプリントシートに対し、・インデックス画像を出力する手段。・ＩＣメモリにフル画像データを格納する手段。・ＩＣメモリからフル画像を読み込む手段。・読み込んだ画像を、個別印刷する手段。【選択図】        図１
2004172837.tif 000002
【特許請求の範囲】
【請求項１】
デジタル画像を一覧印刷するエリア及びデジタル画像データを記憶する媒体が同一のシート上に配置されたインデックスプリントシートと、前記インデックスプリントシートへデジタル画像の一覧を印刷すると共に、一覧印刷されたデジタル画像の全てを、該シート上の記憶媒体に記録する装置から構成されることを特徴とする画像管理システム。
【請求項２】
前記インデックスプリントシート上の記憶媒体から、デジタル画像データを読み出し、個別の画像を印刷する手段を持つ事を特徴とする請求項１の画像管理システム。
【請求項３】
前記インデックスプリントシート上の記憶媒体から読み出した画像を一覧表示する表示手段と、一覧表示された画像から個別印刷したい画像を選択する手段を持ち、前記個別画像の印刷手段は、選択された画像を個別印刷する事を特徴とする請求項２の画像管理システム。
【請求項４】
前記インデックスプリントシート上に、個別印刷したい画像の番号と、個別印刷したい枚数を対応させて書き込むエリアが設けられ、該個別印刷の指示エリアを光学的に読み取る手段と、読み取ったデータを文字認識する手段を持ち、当該指示された画像を指示された枚数分個別印刷する事を特徴とする請求項２の画像管理システム。
【請求項５】
前記インデックスプリントシートの画像一覧印刷部の上に透明タブレットが配置され、個別印刷したい画像を透明タブレットで指示する事を特徴とする請求項２の画像管理システム。
【発明の詳細な説明】
【０００１】
【発明の属する技術分野】
本発明は、デジタル画像の保存・管理を行うシステムに関するものである。
【０００２】
【従来の技術】
従来のデジタル画像管理システムでは、画像を一括して大規模な記憶媒体に記憶し、一覧用に印刷した複数のシートには、対応する画像データが記憶媒体上のどの位置に記憶されているのかを示すインデックスデータがバーコード等で記録されるよう構成されたシステムがある。
【０００３】
【発明が解決しようとする課題】
しかしながら上記従来の画像管理システムでは、画像を記憶してある大規模な記憶媒体の管理に手間がかかったり、トラブル時には全画像が消えてしまう恐れがある等の問題点があり、手軽に利用できるものとはなっていない為、保存用の画像としてはデジタル画像ではなく銀鉛カメラで撮影したネガによるものが選択される傾向にある。
【０００４】
本発明は上記の問題点を解消した画像管理システムを提供するもので、その目的は、デジタル画像を手軽に管理することができ、銀鉛カメラのネガ管理と同等の感覚でデジタル画像を扱うことのできる画像管理システムを提供する事にある。
【０００５】
【課題を解決するための手段】
本発明は上記目的を達成するために、請求項１の画像管理システムは、デジタル画像を一覧印刷するエリア及びデジタル画像データを記憶する媒体が同一のシート上に配置されたインデックスプリントシートと、前記インデックスプリントシートへデジタル画像の一覧を印刷すると共に、一覧印刷されたデジタル画像の全てを、該シート上の記憶媒体に記録する装置から構成されることを特徴とする。
【０００６】
請求項２の画像管理システムは、前記インデックスプリントシート上の記憶媒体から、デジタル画像データを読み出し、個別の画像を印刷する手段を持つことを特徴とする。
【０００７】
請求項３の画像管理システムは、前記インデックスプリントシート上の記憶媒体から読み出した画像を一覧表示する表示手段と、一覧表示された画像から個別印刷したい画像を選択する手段を持ち、前記個別画像の印刷手段は、選択された画像を個別印刷する事を特徴とすることを特徴とする。
【０００８】
請求項４の画像管理システムは、前記インデックスプリントシート上に、個別印刷したい画像の番号と、個別印刷したい枚数を対応させて書き込むエリアが設けられ、該個別印刷の指示エリアを光学的に読み取る手段と、読み取ったデータを文字認識する手段を持ち、当該指示された画像を指示された枚数分個別印刷することを特徴とする。
【０００９】
請求項５の画像管理システムは、前記インデックスプリントシートの画像一覧印刷部の上に透明タブレットが配置され、個別印刷したい画像を透明タブレットで指示することを特徴とする。
【００１０】
【発明の実施の形態】
以下、図面を参照して本発明の実施形態を詳細に説明する。
【００１１】
（第１の実施形態）
図１から図４に従い本発明の第１の実施形態である画像管理装置の説明をする。
【００１２】
図１は、本発明の第１の実施形態である画像管理装置の概略構成を示すブロック図である。
【００１３】
図１に於いて、１００はＣＰＵ（中央演算処理装置）で、本画像管理装置の動作はこのＣＰＵ１００により制御される。ＣＰＵバス１０１は、ＣＰＵ１００とその周辺デバイスとの通信を行う信号線である。
【００１４】
制御プログラム１２０はＲＯＭ（リードオンリーメモリ）で構成され、ＣＰＵ１００の動作が格納されている。
【００１５】
操作部１３０は、ユーザーからの指示をＣＰＵ１００に伝える。
【００１６】
画像バッファ１４０は、画像データ読み込み部１５０から画像データを読み込み、一時的に格納しておくバッファである。
【００１７】
画像データ読み込み部１５０は、デジタルカメラ等で撮影された画像を読み込む為のインターフェースで、ＣＦカード、スマートメディア、メモリスティック等のメディア、または、通信回線を通じて画像を得る。
【００１８】
表示制御部１６０は、ＣＲＴ１６１に画像やグラフィックを表示させる制御を行う。
【００１９】
ＩＣメモリ入出力部１７０は、後述のインデックスプリントシート上に配置されたＩＣメモリ２１０とのデータの入出力を行う。
【００２０】
プリンタ制御部１８０は、プリンタ１８１の制御及び、ＩＣメモリ入出力部１７０とインデックスプリントシート上に配置されたＩＣメモリ２１０との位置合わせの為の位置検出部１９０からの信号検出を行う。
【００２１】
図２は、前出のインデックスプリントシートの外観図である。
【００２２】
インデックスプリントシート２１０には、画像のインデックス（サムネイル）が印刷されるとともに、デジタル画像を格納する為のＩＣメモリ２１０が配置されている。
【００２３】
図３は、インデックス出力処理のフローチャートである。この処理は、銀鉛カメラにおける現像処理と同等のものである。
【００２４】
ステップＳ１００では、画像データ読み込み部１５０から画像データを１枚ずつ読み込んで画像バッファ１４０に格納していき、読み込んだ画像が、既定の１ページ分の枚数になるか、全画像が読み出し終わるまで繰り返される（ステップＳ１１０）。
【００２５】
ステップＳ１２０では、画像バッファ１４０内の、ステップＳ１００で読み出された画像のサムネイル画像を作成し、そのサムネイル画像をステップＳ１３０でインデックスプリントシート２００に印刷する。
【００２６】
ステップＳ１４０では、プリンタ１８１の紙送りを行い、位置検出部１９０からの信号でＩＣメモリ入出力部１７０の位置にインデックスプリントシート２００上のＩＣメモリ２１０が来るよう制御する。
【００２７】
ステップＳ１５０では、画像バッファ１４０内の画像を、ＩＣメモリ２１０に格納する。
【００２８】
ステップＳ１６０で、全画像データのインデックスの印刷及びＩＣメモリへの画像の格納が終了したか判断し、残っている場合は、ステップＳ１００へ戻り、次のインデックスプリントシート２００に対して同様の処理を繰り返す。
【００２９】
図４は、個別画像印刷処理のフローチャートである。この処理は、銀鉛カメラにおける焼き増し処理と同等のものである。
【００３０】
ステップＳ２００では、プリンタ１８１の紙送りを行い、位置検出部１９０からの信号でＩＣメモリ入出力部１７０の位置にインデックスプリントシート２００上のＩＣメモリ２１０が来るよう制御する。
【００３１】
ステップＳ２１０では、ＩＣメモリ２１０内の画像を全画像を読み出し、画像バッファ１４０に格納する。
【００３２】
ステップＳ２２０では、読み出した画像のサムネイルを作成して、ステップＳ２３０でＣＲＴ１６１にサムネイルの一覧表示を行う。
【００３３】
ステップＳ２４０では、操作部１３０からの指示で、個別印刷したい画像をユーザーに選択してもらい、画像選択の終了指示があるまで繰り返す。（ステップＳ２５０）
ステップＳ２６０では、ステップＳ２４０で選択された画像を、順次１枚ずつ個別に印刷する。
【００３４】
（第２の実施形態）
図５から図７は、本発明の第２の実施形態を説明する図である。
【００３５】
図５は、本発明の第２の実施形態である画像管理装置の概略構成を示すブロック図である。
【００３６】
同図では、第１の実施形態の図１と比べ画像の表示部１６０、１６１が無くなり、ＯＣＲ読み込み部３００が加わる構成となっている。
【００３７】
図６はインデックスプリントシートの外観図である。
【００３８】
同図では、第１の実施形態の図２に、個別画像を印刷したいものの番号と対応し、印刷したい枚数を書き込む為の、焼き増し指示エリア２２０が追加されている。
【００３９】
本実施形態では、焼き増し指示エリア２２０の焼き増ししたい番号位置に枚数を書き込み、前記のＯＣＲ読み込み部で認識して、目的の画像を印刷することを特徴としている。
【００４０】
図７は、個別画像印刷時の流れを示すフローチャートである。
【００４１】
ステップＳ２００、Ｓ２１０は、第１の実施形態の図４の処理と同様に、ＩＣメモリ２１０の位置検出後、全画像データを画像バッファ１４０に読み込む。
【００４２】
ステップＳ３００では、ＯＣＲ読み込み部３００から、焼き増し指示エリア２２０の指示を読み込んで認識する。
【００４３】
ステップＳ２６０では、ステップＳ３００で認識された指示に従って、個別画像の印刷を行う。
【００４４】
本実施形態では印刷する個別画像の指示を、あらかじめインデックスプリントシート２００上に書き込んでおけるため、実際の機器での動作は自動で行う事ができるという利点がある。
【００４５】
（第３の実施形態）
図８及び図９は、本発明の第３の実施形態を説明する図である。
【００４６】
図８は、本発明の第３の実施形態である画像管理装置の概略構成を示すブロック図である。
【００４７】
同図では、第１の実施形態の図１と比べ位置検出部１９０が無くなり、タブレット入力部４００が加わる構成となっている。
【００４８】
図９はインデックスプリントシート２００をセットする部分の外観図である。同図に示すよう、インデックスシート２００のインデックス画像印刷部分に、透明タブレット４００が重なる用セットされ、また、ＩＣメモリ入出力部１７０が、ＩＣメモリ２１０の位置に重なるよう構成されている。
【００４９】
この状態で、対応する画像位置で透明タブレット４００から入力することにより、印刷する個別画像を指定する。
【００５０】
【発明の効果】
以上示した様に、本発明によれば、デジタル画像を手軽に管理することができ、
銀鉛カメラのネガ管理と同等の感覚でデジタル画像を扱うことが可能な画像管理システムが実現できる。
【図面の簡単な説明】
【図１】本発明に係る第１の実施形態の画像管理装置の概略構成を示すブロック図である。
【図２】第１の実施形態のインデックスプリントシートの外観図である。
【図３】第１の実施形態のインデックス出力処理のフローチャートである。
【図４】第１の実施形態の個別画像印刷処理のフローチャートである。
【図５】本発明に係る第２の実施形態の画像管理装置の概略構成を示すブロック図である。
【図６】第２の実施形態のインデックスプリントシートの外観図である。
【図７】第２の実施形態の個別画像印刷処理のフローチャートである。
【図８】本発明に係る第３の実施形態の画像管理装置の概略構成を示すブロック図である。
【図９】第３の実施形態の外観図である。
【符号の説明】
１００  ＣＰＵ
１５０  画像データ読み込み部
１７０  ＩＣメモリ入出力部
１８１  プリンタ
３００  ＯＣＲ読み込み部
４００  タブレット入力部
【図１】
2004172837.tif 000003
【図２】
2004172837.tif 000004
【図３】
2004172837.tif 000005
【図４】
2004172837.tif 000006
【図５】
2004172837.tif 000007
【図６】
2004172837.tif 000008
【図７】
2004172837.tif 000009
【図８】
2004172837.tif 000010
【図９】
2004172837.tif 000011